(57)【要約】【課題】無線通信に用いられる薄型のアンテナ装置及びアンテナ装置を備えた情報端末装置を提供する。【解決手段】絶縁部３１の所定の主面に形成された導体パターンで形成されるアンテナエレメント３２及びこのアンテナエレメント３２と電気的に接続され絶縁部３１の主面に形成されるグランド部３４を有するアンテナ基板３０と、一主面側に内層に形成された配線パターンが露出する開口を有し、グランド部３４に一端が電気的に接続されるよう一主面から内層を貫通するように形成されるスルーホールが開口を囲うように複数配設され、スルーホールの複数の他端を電気的に連絡するとともに開口との間に配線パターンを挟む位置に設けられたグランド層３８を有する多層基板３６と、を具備し、アンテナ基板３０と多層基板３６とが、グランド部３４とスルーホールの複数の他端とにおいて、電気的に接合されている。【選択図】図１
2008301105.tif 000002
【特許請求の範囲】
【請求項１】
絶縁基板の所定の主面に形成された導体パターンで形成されるアンテナエレメント部及びこのアンテナエレメント部と電気的に接続され前記絶縁基板の前記主面に形成されるグランドパターン部を有するアンテナ基板と、
一主面側に内層に形成された配線パターンが露出する開口を有し、前記グランドパターン部に一端が電気的に接続されるよう前記一主面から内層を貫通するように形成されるスルーホールが前記開口を囲うように複数配設され、前記スルーホールの複数の他端を電気的に連絡するとともに前記開口との間に前記配線パターンを挟む位置に設けられたグランドパターン層を有する多層配線基板と、を具備し、
前記アンテナ基板と前記多層配線基板とが、前記グランドパターン部と前記スルーホールの複数の他端とにおいて、電気的に接合されていることを特徴とするアンテナ装置。
【請求項２】
前記配線パターンには、前記アンテナエレメント部で受信した受信信号を増幅する増幅器と、前記アンテナエレメントに送信する送信信号を伝達して出力する送信経路又は前記増幅器を介して受信信号を出力する受信経路のいずれかの信号経路を選択するスイッチとを有するアクティブ回路が形成されたことを特徴とする請求項１記載のアンテナ装置。
【請求項３】
前記配線パターンには、所定の周波数帯の搬送波を用いて信号の変調又は復調の少なくとも一方を行う無線通信制御部が形成されたことを特徴とする請求項１記載のアンテナ装置。
【請求項４】
アンテナエレメントと前記アンテナエレメントに接続されるグランド部とを有するアンテナ基板と、
高周波回路を内蔵するとともに、グランド層と複数のグランドビアとを有する多層基板とを備え、
前記グランド部は、前記高周波回路を挟んで前記グランド層に対向する位置に配置され、
前記複数のグランドビアは、前記多層基板を貫通して前記グランド部と前記グランド層とを電気的に接続するとともに、前記高周波回路を囲うように配置されることを特徴とするアンテナ装置。
【請求項５】
請求項１乃至請求項４のいずれか１項記載のアンテナ装置と表示部とを内蔵する第１筐体部と、前記表示部に表示する情報を生成する処理部を内蔵する第２筐体部と、前記第１筐体部と前記第２筐体部とを相対的に回動可能に結合する連結部とを具備することを特徴とする情報端末装置。
【発明の詳細な説明】
【技術分野】
【０００１】
本発明は、アンテナを用いて無線信号の送受信を行うアンテナ装置及びアンテナ装置を備えた情報端末装置に関する。
【背景技術】
【０００２】
近年、通信技術の急速な発展に伴い、ノート型電子計算機や携帯電話等の情報端末装置に利用される無線システムが爆発的に普及している。情報端末装置の例としてノートＰＣにマルチ無線システムを搭載する場合を想定すると、無線システム用のアンテナは、電波を感受しやすいディスプレイ部上部に配置される。ディスプレイ部にアンテナを、本体部に送受信回路を配置する構造にすると、アンテナと送受信回路とを結ぶ経路（主にケーブル）の距離が長くなる。長大化したケーブルはローパスフィルタ（ＬＰＦ）と等価であるため、情報端末装置で有望視される無線デバイスが用いるギガヘルツ帯の高周波信号はケーブル内で減衰されやすくなる。すなわち、無線装置の本体部から見ると受信時のキャリア信号とノイズの比（Ｃ／Ｎ）が小さくなり、雑音指数、すなわちノイズフィギュア（ＮＦ）が劣化する。ここで、ノイズフィギュアとは、入力のＣ／Ｎと出力のＣ／Ｎの比を示すものである。
【０００３】
無線装置のＮＦ劣化を抑制する手段としては、従来から、アンテナ近くに受信線路と送信線路を設け、受信線路に増幅器を配置する技術（アクティブアンテナ）が採用されている（例えば特許文献１参照）。
【０００４】
図６は、アクティブアンテナの概略構成を示すブロック図である。このアクティブアンテナは、アンテナ１と、低雑音アンプ３を有するアクティブ回路２と、無線モジュール５を備えている。また、アクティブ回路２と無線モジュール５とは、ヒンジ４を通る信号線により接続されている。送信時には、このアクティブアンテナは、アクティブ回路２と無線モジュール５とを接続する１本の信号線路上の送信電力を利用してアクティブ回路２の有するスイッチの制御電圧を生成し、低雑音アンプ３を通さない経路を用いて送信を行う。また、受信時には、このアクティブアンテナは、信号線路上の信号に重畳された電圧によって、スイッチを受信時の経路に制御するとともに、低雑音アンプ３を動作させる。これにより送受信とも、信号線路１本のみで送受信の切替え動作が可能となる。
【０００５】
このアクティブアンテナによれば、受信した信号が信号線路通過によって減衰される前に低雑音アンプ３により増幅されるので、信号線路通過によって信号が減衰しても、Ｃ／Ｎの低減を抑制することができる。その結果として、無線装置のＮＦの劣化を防ぐことを可能とする。
【０００６】
図７は、一般的なノートパソコン１０の構成を示す図である。ノートパソコン１０は、ディスプレイ部１２、ヒンジ部１４、及び本体部１６で構成されている。ディスプレイ部１２と本体部１６とは、ヒンジ部１４により相対的に回動可能に結合されている。
【０００７】
このような一般的なノートパソコン１０において、図６におけるアンテナ１は、通常、感度の良いディスプレイ上部１１に設けられる。また、無線モジュール５は、本体部１６の内部に設けられる。したがって、アクティブ回路２と無線モジュール５とを接続するケーブルは、ヒンジ部１４内部を通して設けざるを得ない。
【０００８】
また、ディスプレイ上部１１に設けられたアンテナ１で受信された受信信号は、ケーブルを介して無線モジュール５に入力されるまでの間に減衰してしまうので、受信信号を増幅するアクティブ回路２は、アンテナ１と同じディスプレイ部１２内に設けられる必要がある。
【０００９】
したがって、アクティブ回路２は、ディスプレイ部１２を構成する液晶の裏側に配置されるため、薄型であることが必須である。また、アクティブ回路２は、電磁波による影響を抑えるため、電磁シールド構造を有している必要がある。アクティブ回路２が電磁シールド構造を有していない場合には、アクティブ回路２は、ディスプレイ部１２を構成する液晶から出力されるノイズの影響を受け、無線通信に不具合を生ずる可能性がある。さらに、アクティブ回路２が出力するノイズの影響により、ディスプレイ部１２の液晶の配光が乱れ、液晶表示が不具合を生ずる可能性もある。よって、アクティブ回路２は、薄型（低背）であり且つ電磁シールド構造を有することが必要である。
【００１０】
図８は、アクティブ回路２のような高周波回路に対する従来の電磁シールド構造を示す図である。シールドフレーム２２は、金属により構成され、基板２４の内部に設けられたグランド層に電気的に接続されるように半田付けされており、基板２４上に設けられたノイズ源となる回路を取り囲むように配置されている。シールドカバー２０は、金属により構成され、シールドフレーム２２に蓋としてかぶせられる。なお、シールドカバー２０は、その側面に所定の間隔を空けて複数のエンボス部２１を有する。エンボス部２１は、シールドカバー２０とシールドフレーム２２との接点であり、シールドの対象となる電磁波の半波長よりも短い間隔で設けられることにより、外部の電磁波からシールドフレーム２２内部の回路を保護するとともに、シールドフレーム２２内部の回路が発する電磁波を外部に漏らさない効果を有する。
【００１１】
図９は、上述した電磁シールド構造を示す断面図である。図９（ａ）に示すように、シールドフレーム２２ａは、基板２４ａの内部に設けられたグランド層２８ａに電気的に接続されるように半田付けされている。高周波回路２６ａは、基板２４ａ上に設けられている。図９（ｂ）に示すように、シールドカバー２０ａをシールドフレーム２２ａに蓋としてかぶせるとともに、エンボス部２１ａをシールドフレーム２２ａに設けられた開口部（又は窪み等）に嵌合することにより、高周波回路２６ａは、電磁的にシールドされる。したがって、シールドカバー２０ａ、シールドフレーム２２ａ、エンボス部２１ａ、及びグランド層２８ａにより構成されるシールド構造は、外部の電磁波の影響から内部の高周波回路２６ａを保護するとともに、高周波回路２６ａによる電磁波が外部に漏れるのを防止する。
【特許文献１】特開２００６−３３０７６号公報
【発明の開示】
【発明が解決しようとする課題】
【００１２】
しかしながら、上述したシールド構造を構成するにあたり、シールドカバー２０ａは、高周波回路２６ａとの間に接触しない程度の間隙が必要である。仮にシールドカバー２０ａが高周波回路２６ａに接触しても高周波回路２６ａ上の信号線がグランドに導通しないような絶縁加工が施されていた場合でも、シールドカバー２０ａが高周波回路２６ａに接触することによりエンボス部２１ａのシールドフレーム２２ａに対する嵌合が不安定になるからである。エンボス部２１ａのシールドフレーム２２ａに対する接触が外れると、その隙間から電磁波が漏れるため、無線通信や液晶表示に不具合が発生する可能性がある。したがって、シールドカバー２０ａと高周波回路２６ａとの間には、ある程度の間隙を確保せざるを得ず、図９（ｂ）に示すように、従来のシールド構造は、２ｍｍ以上の厚いものとなる。
【００１３】
また、エンボス部２１ａをシールドフレーム２２ａに半田付けして外れにくいものとしても、コストや手間がかかるとともに、根本的なシールド構造の厚さの問題が残る。
【００１４】
本発明は上述した従来技術の問題点を解決するもので、無線通信に用いられる薄型のアンテナ装置及びアンテナ装置を備えた情報端末装置を提供することを課題とする。
【課題を解決するための手段】
【００１５】
上記課題を解決するために、本発明に係るアンテナ装置は、絶縁基板の所定の主面に形成された導体パターンで形成されるアンテナエレメント部及びこのアンテナエレメント部と電気的に接続され前記絶縁基板の前記主面に形成されるグランドパターン部を有するアンテナ基板と、一主面側に内層に形成された配線パターンが露出する開口を有し、前記グランドパターン部に一端が電気的に接続されるよう前記一主面から内層を貫通するように形成されるスルーホールが前記開口を囲うように複数配設され、前記スルーホールの複数の他端を電気的に連絡するとともに前記開口との間に前記配線パターンを挟む位置に設けられたグランドパターン層を有する多層配線基板と、を具備し、前記アンテナ基板と前記多層配線基板とが、前記グランドパターン部と前記スルーホールの複数の他端とにおいて、電気的に接合されていることを特徴とする。
【００１６】
また、本発明に係る情報端末装置は、アンテナ装置と表示部とを内蔵する第１筐体部と、前記表示部に表示する情報を生成する処理部を内蔵する第２筐体部と、前記第１筐体部と前記第２筐体部とを相対的に回動可能に結合する連結部とを具備することを特徴とする。
【発明の効果】
【００１７】
本発明によれば、可搬性を有する程度に小型の情報端末において無線通信に必要な薄型の高周波回路を液晶の裏面に搭載することができる。
【発明を実施するための最良の形態】
【００１８】
以下、本発明のアンテナ装置及び情報端末装置の実施の形態を、図面に基づいて詳細に説明する。
【実施例１】
【００１９】
図１は、本発明の実施例１に係るアンテナ装置の構成を示す断面図である。このアンテナ装置は、図１に示すように、アンテナ基板３０と多層基板３６とで構成される。また、アンテナ基板３０は、例えばポリイミドであり、絶縁部３１、アンテナエレメント３２、及びグランド部３４で構成される。多層基板３６は、グランド層３８を有する。
【００２０】
アンテナエレメント３２は、本発明のアンテナエレメント部に対応し、例えば銅等のパターンによるプリントアンテナであり、絶縁部３１の所定の主面に形成された導体パターンで形成される。絶縁部３１は、本発明の絶縁基板に対応する。また、グランド部３４は、本発明のグランドパターン部に対応し、アンテナエレメント３２と電気的に接続されるとともに、絶縁部３１の主面に形成されるグランドパターンである。通常、ノートパソコンや携帯電話等の情報端末装置に用いられるアンテナは、モノポールアンテナであり、ダイポールアンテナと等価な特性を持たせるために広い導体板（グランド層）を必要とする。本実施例において、アンテナエレメント３２は、モノポールアンテナであるため、広い導体板となるグランド部３４を必要とする。
【００２１】
多層基板３６は、本発明の多層配線基板に対応し、グランド部３４の表面上に設けられており、高周波回路やグランド層３８を有する。多層基板３６の詳細については後述する。
【００２２】
図２は、本発明の実施例１に係るアンテナ装置を上から見た場合の構成を示す図である。アンテナエレメント３２及びグランド部３４は、絶縁部３１上に設けられている。また、多層基板３６は、グランド部３４上に設けられている。
【００２３】
当該アンテナ装置をノートパソコンに適用する場合、アンテナエレメント３２は、上述したように図７に示すノートパソコン１０のディスプレイ上部１１に設けられる。したがって、図２に示すプリントアンテナのグランド部３４と多層基板３６とは、ディスプレイ部１２を構成する液晶の裏側に配置される。なお、当該アンテナ装置をノートパソコンではなく携帯電話等の他の情報端末装置に適用する場合も、多層基板３６やグランド部３４は、液晶の裏面に設けられる。
【００２４】
図３は、本発明の実施例１に係るアンテナ装置の多層基板３６の詳細な構成を示す断面図である。多層基板３６は、アンテナ基板３０の有するグランド部３４の表面に設けられ且つ１層以上の基板の一部を開口して形成されたキャビティ部４１とグランド層３８と複数のグランドビア５０とを有する。本実施例において、多層基板３６は、第１基板４４、第２基板４６、第３基板４８、及びグランド層３８を積層して構成されており、第１基板４４の一部を開口して形成したキャビティ部４１を有する。
【００２５】
したがって、グランド部３４は、キャビティ部４１を挟んでグランド層３８に対向する位置に設けられるとともに、キャビティ部４１を密閉するように配置される。
【００２６】
キャビティ部４１は、本発明の開口に対応し、多層基板３６の一主面側に設けられ、内層に形成された配線パターンを露出する。
【００２７】
高周波回路４０は、キャビティ部４１の内部に収納され且つキャビティ部４１の深さ以下の厚みを有する。仮に高周波回路４０の厚さがキャビティ部４１の深さよりも厚いとすると、当該アンテナ装置におけるシールド構造は、図３に示すように平板なグランド部３４で蓋をすることができず、図８，９に示すようなエンボス部２１を有するシールドカバー２０が必要となり、従来と変わらないからである。
【００２８】
本発明は、ノートパソコン等で多用されるポリイミド等の薄型基板で構成されるプリントアンテナのグランド部３４に実装することが特徴であるため、高周波回路４０は、キャビティ部４１の深さ以下の厚みを有することが必須である。
【００２９】
また、高周波回路４０は、金属ワイヤ等のワイヤボンディング４２により多層基板３６の配線パターンに接続されている。図３においてワイヤボンディング４２は、１本であるかのように描かれているが、実際には必要とする信号の数だけ存在する。
【００３０】
グランド層３８は、本発明のグランドパターン層に対応し、多層基板３６に設けられ且つ高周波回路４０を挟んでグランド部３４に対向する位置に設けられる。本実施例において、グランド層３８は、高周波回路４０との間に第２基板４６と第３基板４８との２つの層を挟んでいるが、２つに限らず幾つの層を間に挟んでもよい。
【００３１】
複数のグランドビア５０の各々は、本発明のスルーホールに対応し、グランド部３４に一端が電気的に接続されるように形成される。また、グランドビア５０は、多層基板３６の一主面から多層基板３６の内層を貫通してグランド部３４とグランド層３８とを電気的に接続するとともに、キャビティ部４１（すなわち内部に収納された高周波回路４０）を囲うように複数配設される。このグランドビア５０は、高周波回路４０を囲うように所定の間隔で複数配置される。例えば、設計者は、高周波回路４０が発するノイズのうち最も波長が短い電磁波の半波長よりも短い間隔で複数のグランドビア５０を高周波回路４０を囲うように配置する。これにより、グランド部３４、グランド層３８、及び複数のグランドビア５０で構成されるシールド構造は、高周波回路４０を内部に収容する構造となり、高周波回路４０が発する電磁波（ノイズ）の影響を外部に与えない。
【００３２】
したがって、グランド部３４は、多層基板３６を実装する際にグランドビア５０と電気的に接続されるように実装する必要がある。また、グランドビア５０は、多層基板３６の製作段階から、グランド層３８に電気的に接続されるように設けられる。
【００３３】
上述したように、複数のグランドビア５０の各々の一端は、グランド部３４に電気的に接続される。また、グランド層３８は、複数のグランドビア５０の各々の他端を電気的に連絡するとともに、キャビティ部４１との間に配線パターンを挟む位置に設けられる。
【００３４】
さらに、アンテナ基板３０と多層基板３６とは、グランド部３４と複数のグランドビア５０の各々の一端とにおいて、電気的に接合されている。
【００３５】
以上のように構成されたシールド構造は、例えば多層基板の厚さを０．８ｍｍとし、カバー導体であるグランド部３４を有するアンテナ基板３０の厚さを０．１ｍｍとすれば、全体の厚さは０．９ｍｍとなり、従来の２ｍｍ以上の厚さを有するシールド構造よりも薄型にできる。
【００３６】
次に、上述のように構成された本実施の形態の作用を説明する。まず、本実施例において、アンテナ装置は、図７に示すようなノートパソコン１０に適用されるとともに、図６に示すようなアクティブ回路２を用いるものとする。
【００３７】
本実施例において、ディスプレイ部１２は、本発明の第１筐体部に対応し、本発明のアンテナ装置と液晶等による表示部とを内蔵する。また、本体部１６は、本発明の第２筐体部に対応し、表示部に表示する情報を生成する処理部を内蔵する。さらに、ヒンジ部１４は、本発明の連結部に対応する。
【００３８】
このノートパソコン１０は、本発明の情報端末装置に対応し、一般に市販されているものである。したがって、本体部１６は、データを演算して画像データを生成する演算処理装置（ＣＰＵ）を備える。ここで、ＣＰＵは、本発明の処理部に対応する。また、ディスプレイ部１２は、ディスプレイ部１２の表面に演算処理装置により生成された画像データを表示する表示部を備える。また、ディスプレイ部１２と本体部１６とは、ヒンジ部１４により相対的に回動可能に結合されている。
【００３９】
このような一般的なノートパソコン１０において、図１におけるアンテナエレメント３２は、通常、感度の良いディスプレイ上部１１に設けられる。また、無線モジュール５は、本体部１６の内部に設けられる。したがって、ケーブルは、ヒンジ部１４内部を通して設けざるを得ない。
【００４０】
また、ディスプレイ上部１１に設けられたアンテナエレメント３２で受信された受信信号は、ケーブルを介して無線モジュール５に入力されるまでの間に減衰してしまうので、受信信号を増幅するアクティブ回路２はアンテナエレメント３２と同じ第１筐体部（本実施例においてはディスプレイ部１２）内に設けられる必要がある。よって、アクティブ回路２は、表示部を有するディスプレイ部１２と、本体部１６と、ヒンジ部１４とを具備するノートパソコン１０に設けられるとともに、表示部の裏面に設けられる。
【００４１】
本実施例において、高周波回路４０は、図６に示すアクティブ回路２であり、アンテナエレメント３２で受信した受信信号を増幅する低雑音アンプ３と、アンテナエレメント３２に送信する送信信号を伝達して出力する送信経路又は低雑音アンプ３を介して受信信号を出力する受信経路のいずれかの信号経路を選択するスイッチとを有する。ここで、低雑音アンプ３は、本発明の増幅器に対応する。また、アクティブ回路２は、キャビティ部４１が露出する配線パターンに形成される。
【００４２】
このように、アクティブ回路２をグランド部３４、グランド層３８、及び複数のグランドビア５０で構成されたシールド構造の内部に収納することにより、アクティブ回路２のスイッチングによる電磁波（ノイズ）や無線通信に用いる搬送波の有する周波数の電磁波（ノイズ）を外部に漏らしてディスプレイ部１２の表示部等に影響を及ぼすのを防ぐことができるとともに、外部の電磁波（ノイズ）の影響をアクティブ回路２に与えて無線通信に不具合が生じるのを防ぐことができる。
【００４３】
なお、ここでは本発明をノートパソコン１０に適用した場合について説明したが、折り畳み式の携帯電話にも同様に適用できる。また、表示部の位置は、グランド部３４側でもグランド層３８側でもよい。
【００４４】
さらに、本発明にアクティブ回路２を適用しない場合について考える。仮に図６における無線モジュール５をディスプレイ部１２内部に収納することができれば、ヒンジ部１４内部を通してケーブルを設ける必要が無く、アンテナエレメント３２で受信された受信信号が無線モジュール５に入力されるまでの間に減衰することもないため、アクティブ回路２は、不要である。この場合、本発明の高周波回路４０は、所定の周波数帯の搬送波を用いて信号の変調又は復調の少なくとも一方を行う無線モジュール５である。ここで、無線モジュール５は、本発明の無線通信制御部に対応する。よって、無線モジュール５は、表示部を有するディスプレイ部１２と、本体部１６と、ヒンジ部１４とを具備するノートパソコン１０に設けられるとともに、表示部の裏面に設けられる。また、無線モジュール５は、キャビティ部４１が露出する配線パターンに形成される。
【００４５】
無線モジュール５を高周波回路４０として薄型のアンテナ装置を構成することにより、アクティブ回路２やヒンジ部１４を通すケーブルは、不要である。
【００４６】
上述のとおり、本発明の実施例１の形態に係るアンテナ装置によれば、アンテナ基板３０を絶縁部３１、アンテナエレメント３２で構成するとともに、この平面アンテナに電荷を給電するためのグランドパターンであるグランド部３４を併設して、多層配線基板たる多層基板３６と分けて形成することによりアンテナ部品の薄型化を可能にするとともに、アンテナ基板３０のグランド部３４によって多層基板３６の凹部（キャビティ部４１）内に実装された高周波部品（高周波回路４０）を閉塞し、多層基板３６内に形成されたグランド層３８並びに取り扱う周波数に応じて適切な間隔を持って複数配設されたスルーホール（グランドビア５０）と協調して、高周波部品（高周波回路４０）から漏れる電波の外部への漏洩を遮断する構成とすることにより、薄型で汎用性の高いアンテナ装置を提供することを可能にする。
【００４７】
すなわち、グランド部３４、グランド層３８、及び複数のグランドビア５０でキャビティ部４１（すなわち内部に収納された高周波回路４０）を囲むシールド構造を形成し、高周波回路４０が発する電磁波（ノイズ）をシールド構造の外部に漏らさないため、ディスプレイ部１２の表示部等に画像の乱れ等の影響を及ぼすのを防ぐことができる。また、高周波回路４０自身も外部の電磁波（ノイズ）から保護され、無線通信に不具合が生ずるのを防ぐことができる。
【００４８】
さらに、キャビティ部４１を有する多層基板３６を用いてシールド構造を構成するため、薄型にできるとともに、上下からの圧迫（グランド部３４やグランド層３８に対して垂直にかかる圧力）等に対しても強固な造りにすることができる。
【００４９】
また、モノポールアンテナに必須な広い導体板であるグランド部３４をシールド構造の蓋に用いるため、グランド部３４を有効に活用することができるとともに、シールド構造を薄型にすることができる。
【００５０】
したがって、本発明のアンテナ装置は、ノートパソコンや携帯電話等の可搬性を有する程度に小型の情報端末において、無線通信に必要な高周波回路４０を内蔵した薄型のシールド構造を液晶の裏面に搭載することができる。
【００５１】
なお、内部に実装する高周波部品は、アンテナ装置の使用方法に応じて適宜選択すればよい。例えば、アクティブ回路２を高周波回路４０としてアンテナ装置を構成することで、当該アンテナ装置は、感度が良く、通信範囲の広い装置を実現することができる。
【００５２】
一方、無線モジュール５を高周波回路４０としてアンテナ装置を構成した場合には、アクティブ回路２やケーブル等が不要となり、コストを安くすることができるとともに、限られたスペースを有効に活用することができる。
【実施例２】
【００５３】
図４は、本発明の実施例２に係るアンテナ装置の多層基板７５の構成を示す図である。本実施例におけるアンテナ装置は、アンテナ基板５３と多層基板７５とを備える。
【００５４】
アンテナ基板５３は、図示されないアンテナエレメントと、アンテナエレメントに接続されるグランド部５２と、絶縁部５１とを有する。
【００５５】
図４に示す多層基板７５は、基板６６、基板６８、基板７０、及びグランド層５４を積層して構成したものであり、複数のグランドビア（５６ａ，５６ｂ）を有し、基板６８の一部を開口してＩＣチップ５８が内蔵されている。基板７０上に設けられたＩＣチップ５８は、本発明の高周波回路に対応し、半田６２により電極６０を配線６４に半田付けすることで固定されている。
【００５６】
さらに、各基板は、加工に便利なプリプレグ等を用いた樹脂７２により接着されている。図４に示す多層基板７５においては、スルーホール７４内部にも樹脂が満たされている。
【００５７】
グランド部５２は、ＩＣチップ５８を挟んでグランド層５４に対向する位置に配置される。
【００５８】
多層基板７５は、アンテナ基板５３の有するグランド部５２の表面上に設けられている。さらに、グランドビア５６ａ，５６ｂは、多層基板７５を貫通してグランド部５２とグランド層５４とを電気的に接続するとともに、ＩＣチップ５８を囲うように配置される。なお、図４は断面図であるため、グランドビア５６ａとグランドビア５６ｂのみが描かれているが、実際には複数のグランドビアがＩＣチップ５８を囲うように所定の間隔で設けられているものとする。実施例１についても同様である。
【００５９】
ＩＣチップ５８は、図６におけるアクティブ回路２でも無線モジュール５でもよい点については実施例１と同様である。また、ＩＣチップ５８は、第１筐体部と、第２筐体部と、第１筐体部と第２筐体部とを相対的に回動可能に結合する連結部とを具備する携帯情報端末装置に設けられるとともに、表示部の裏面に設けられる点についても実施例１と同様である。  
次に、上述のように構成された本実施の形態の作用を説明する。実施例１と異なる点は、高周波回路であるＩＣチップ５８が多層基板７５内に完全に内蔵されており、周囲を樹脂７２で満たされている点であるが、作用・効果は実施例１と同様であり、重複した説明を省略する。
【００６０】
したがって、本実施例のように、シールドが必要なＩＣチップ５８が完全に多層基板７５に内蔵された状態であっても、グランド部５２とグランド層５４とがＩＣチップ５８を挟んで対向する位置に設けられており、複数のグランドビア５６ａ，５６ｂがグランド部５２とグランド層５４とを電気的に接続するとともに、所定の間隔でＩＣチップ５８を囲うように配置されることで、実施例１と同様の効果を得ることができる。
【００６１】
なお、図５は、高周波回路２６ｂの厚さが多層（若しくは１層）基板２４ｂの有するキャビティ部の深さよりも厚い場合のシールド構造を示す図である。この場合には、図８及び図９で説明した従来技術と同様に、立体構造のシールドカバー２０ｂが必要となる。しかしながら、多層基板２４ｂがキャビティ部を有しているため、従来よりは薄型のシールド構造にできる。
【００６２】
したがって、プリントアンテナのグランド部２８ｂ上に多層基板２４ｂを設けることで、携帯情報端末の表示部の裏面に設けることも可能である。
【産業上の利用可能性】
【００６３】
本発明は、アンテナを収容したノート型計算機や携帯電話等の情報端末装置に用いられるアンテナ装置に適用可能である。
【図面の簡単な説明】
【００６４】
【図１】本発明の実施例１の形態のアンテナ装置の構成を示す断面図である。
【図２】本発明の実施例１の形態のアンテナ装置を上から見た場合の構成を示す図である。
【図３】本発明の実施例１の形態のアンテナ装置の多層基板の詳細な構成を示す断面図である。
【図４】本発明の実施例２の形態のアンテナ装置の多層基板の構成を示す図である。
【図５】本発明の実施例１の形態のアンテナ装置の高周波回路の厚さが多層基板の有するキャビティ部の深さよりも厚い場合のシールド構造を示す図である。
【図６】アクティブアンテナの概略構成を示すブロック図である。
【図７】一般的なノートパソコンの構成を示す図である。
【図８】アクティブ回路のような高周波回路に対する従来の電磁シールド構造を示す図である。
【図９】従来の電磁シールド構造を示す断面図である。
【符号の説明】
【００６５】
１…アンテナ、２…アクティブ回路、３…低雑音アンプ、４…ヒンジ、５…無線モジュール、１０…ノートパソコン、１１…ディスプレイ上部、１２…ディスプレイ部、１４…ヒンジ部、１６…本体部、２０，２０ａ，２０ｂ…シールドカバー、２１，２１ａ，２１ｂ…エンボス部、２２，２２ａ，２２ｂ…シールドフレーム、２４，２４ａ，２４ｂ…基板、２６ａ，２６ｂ…高周波回路、２８ａ，２８ｂ…グランド層、３０…アンテナ基板、３１…絶縁部、３２…アンテナエレメント、３４…グランド部、３６…多層基板、３８…グランド層、４０…高周波回路、４１…キャビティ部、４２…ワイヤボンディング、４４…第１基板、４６…第２基板、４８…第３基板、５０…グランドビア、５１…絶縁部、５２…グランド部、５３…アンテナ基板、５４…グランド層、５６ａ，５６ｂ…グランドビア、５８…ＩＣチップ、６０…電極、６２…半田、６４…配線、６６，６８，７０…基板、７２…樹脂、７４…スルーホール、７５…多層基板。
【図１】
2008301105.tif 000003
【図２】
2008301105.tif 000004
【図３】
2008301105.tif 000005
【図４】
2008301105.tif 000006
【図５】
2008301105.tif 000007
【図６】
2008301105.tif 000008
【図７】
2008301105.tif 000009
【図８】
2008301105.tif 000010
【図９】
2008301105.tif 000011